(57)【要約】【課題】  熱交換器用扁平チューブ連続体をガイドするときに、ガイドローラからの脱線を防止することが可能な熱交換器の製造方法および熱交換器の製造装置を提供すること。【解決手段】  連続体１送り方向に離設した２つの中高ガイドローラ１０、２０の回転軸１１、２１を同じ方向に傾斜するとともに、両ガイドローラ１０、２０における連続体１のガイドを、回転軸１１、２１に対し互いに反対側１３、２３で行なっている。  これにより、両ガイドロール１０、２０で連続体１のガイドが行なわれる高面圧発生部位を、軸方向中央部よりそれぞれの最高点１２、２２側にずらして、連続体１の幅Ｗ方向における両ガイドローラ１０、２０の引き合いをバランスさせることができる。【選択図】        図４
2006247773.tif 000002
【特許請求の範囲】
【請求項１】
加工機（７０）に被加工物である熱交換器用扁平チューブの連続体（１）を供給する際に、回転軸（１１、２１）方向の端部の径（φ１）より中央部の径（φ２）の方が大きい複数の中高ローラ（１０、２０）で前記扁平チューブの連続体（１）をガイドするガイド工程を備える熱交換器の製造方法であって、
前記ガイド工程では、前記複数の中高ローラ（１０、２０）を、前記扁平チューブの連続体（１）の送り方向において離設するとともに、回転軸（１１、２１）方向を水平方向（Ｌ）に対し傾斜させて配置することを特徴とする熱交換器の製造方法。
【請求項２】
前記ガイド工程では、
前記複数の中高ローラ（１０、２０）のうち隣り合う２つの中高ローラ（１０、２０）の回転軸（１１、２１）を水平方向（Ｌ）に対して同じ方向に傾斜するとともに、
前記２つの中高ローラ（１０、２０）における前記扁平チューブの連続体（１）のガイドを、前記回転軸（１１、２１）に対し互いに反対側（１３、２３）で行なうことを特徴とする請求項１に記載の熱交換器の製造方法。
【請求項３】
前記扁平チューブの連続体（１）が巻回されたボビン（５）から前記扁平チューブの連続体（１）を引き出す引き出し工程を備え、
前記引き出し工程では、前記ボビン（５）の軸方法に螺旋状に巻回されるとともに前記ボビン（５）の径方向に多層に巻回された前記扁平チューブの連続体（１）を引き出し、
前記ガイド工程では、前記引き出し工程で引き出された前記扁平チューブの連続体（１）を前記複数の中高ローラ（１０、２０）でガイドすることを特徴とする請求項１または請求項２に記載の熱交換器の製造方法。
【請求項４】
前記加工機（７０）は、前記扁平チューブの連続体（１）を所定長さに切断する切断機（７０）であることを特徴とする請求項１ないし請求項３のいずれか１つに記載の熱交換器の製造方法。
【請求項５】
回転軸（１１、２１）方向の端部の径（φ１）より中央部の径（φ２）の方が大きい複数の中高ローラ（１０、２０）を備え、
前記複数の中高ローラ（１０、２０）が、加工機（７０）に供給される被加工物である熱交換器用扁平チューブの連続体（１）をガイドする熱交換器の製造装置であって、
前記複数の中高ローラ（１０、２０）は、前記扁平チューブの連続体（１）の送り方向に離設されるとともに、回転軸（１１、２１）方向が水平方向（Ｌ）に対して傾斜するように配置されていることを特徴とする熱交換器の製造装置。
【請求項６】
前記複数の中高ローラ（１０、２０）のうち隣り合う２つの中高ローラ（１０、２０）は、回転軸（１１、２１）を水平方向（Ｌ）に対して同じ方向に傾斜されるとともに、前記回転軸（１１、２１）に対し互いの反対側（１３、２３）で前記扁平チューブの連続体（１）のガイドを行なうことを特徴とする請求項５に記載の熱交換器の製造装置。
【請求項７】
前記扁平チューブの連続体（１）が、軸方法に螺旋状に巻回されるとともに径方向に多層に巻回されたボビン（５）を備え、
前記複数の中高ローラ（１０、２０）は、前記ボビンから引き出された前記扁平チューブの連続体（１）をガイドすることを特徴とする請求項５または請求項６に記載の熱交換器の製造装置。
【請求項８】
前記加工機（７０）は、前記扁平チューブの連続体（１）を所定長さに切断する切断機（７０）であることを特徴とする請求項５ないし請求項７のいずれか１つに記載の熱交換器の製造装置。
【発明の詳細な説明】
【技術分野】
【０００１】
本発明は、熱交換器の製造方法および熱交換器の製造装置に関し、特に熱交換器用の扁平チューブの連続体を加工機に案内する方法および装置に関する。
【背景技術】
【０００２】
従来から、熱交換器を製造する際には、ボビン等に巻回された熱交換器用扁平チューブの連続体を加工機に供給する工程を設ける場合がある。この工程では、例えば図６に示すように、ボビン１０５に巻回された扁平チューブの連続体１０１を加工機に向かって引き出し、対をなす中高のガイドローラ１１０、１２０で上下から挟持して扁平チューブ連続体１０１をガイドしている。
【０００３】
上下のガイドローラ１１０、１２０は、それぞれの回転軸１１１、１２１が水平方向（扁平チューブ連続体１の断面長径方向（幅方向））に配置され、中央の大径部を上下方向（扁平チューブ連続体１の断面短径方向（厚さ方向））において一致させている。
【発明の開示】
【発明が解決しようとする課題】
【０００４】
上記従来技術における扁平チューブ連続体１０１のガイド方法では、ガイドローラ１１０、１２０と扁平チューブ連続体１０１との押圧部において高面圧発生部位で主にガイドが行なわれる。
【０００５】
したがって、扁平チューブ連続体１０１の断面長径方向（幅方向）において断面短径方向（厚さ方向）の寸法（厚さ）にばらつきがあると、例えば図７（ａ）、（ｂ）に示すように、短径方向寸法が大きい部位（厚い部位）がガイドローラ１１０、１２０の中央大径部方向に移動しようとする。
【０００６】
このとき、扁平チューブ連続体１０１にうねり等の変形があると、扁平チューブ連続体１０１がガイドローラ１１０、１２０から脱線する場合があるという問題がある。
【０００７】
なお、図７（ａ）、（ｂ）は、図６におけるＢ方向から見たガイドローラ１１０、１２０の矢視図である。
【０００８】
本発明は、上記点に鑑みてなされたものであり、扁平チューブの連続体をガイドするときに、ガイドローラからの脱線を防止することが可能な熱交換器の製造方法および熱交換器の製造装置を提供することを目的とする。
【課題を解決するための手段】
【０００９】
上記目的を達成するため、請求項１に記載の発明の製造方法では、
加工機（７０）に被加工物である熱交換器用扁平チューブの連続体（１）を供給する際に、回転軸（１１、２１）方向の端部の径（φ１）より中央部の径（φ２）の方が大きい複数の中高ローラ（１０、２０）で扁平チューブの連続体（１）をガイドするガイド工程を備える熱交換器の製造方法であって、
ガイド工程では、複数の中高ローラ（１０、２０）を、扁平チューブの連続体（１）の送り方向において離設するとともに、回転軸（１１、２１）方向を水平方向（Ｌ）に対し傾斜させて配置することを特徴としている。
【００１０】
これによると、複数の中高ローラ（１０、２０）の回転軸（１１、２１）を傾斜することによって、水平方向（Ｌ）におけるそれぞれの中高ローラ（１０、２０）の垂直方向（扁平チューブ連続体（１）断面短径（Ｈ）方向）の連続体１側最高点（最大径点）（１２、２２）を中央大径部からずらすことができる。
【００１１】
すなわち、中高ローラ（１０、２０）と扁平チューブ連続体（１）との押圧部における高面圧発生部位を回転軸（１１、２１）方向においてずらすことができる。
【００１２】
離設した複数の中高ロール（１０、２０）で主にガイドが行なわれる高面圧発生部位を、ガイドする扁平チューブ連続体（１）の断面長径（Ｗ）方向において互いにバランスするように配設することが可能であり、扁平チューブ連続体１０１に断面長径方向（幅方向）における断面短径方向（厚さ方向）の寸法（厚さ）にばらつきがあったとしても、バランスが大きくくずれることはない。したがって、扁平チューブ連続体（１）が中高ロール（１０、２０）から脱線することを防止できる。
【００１３】
また、請求項２に記載の発明の製造方法のように、複数の中高ローラ（１０、２０）のうち隣り合う２つの中高ローラ（１０、２０）の回転軸（１１、２１）を水平方向（Ｌ）に対し同じ方向に傾斜するとともに、この２つの中高ローラ（１０、２０）における扁平チューブ連続体（１）のガイドを、中高ローラ（１０、２０）回転軸（１１、２１）に対し互いに反対側（１３、２３）で行なうことにより、２つの中高ロール（１０、２０）でガイドが行なわれる高面圧発生部位を、扁平チューブ連続体（１）の断面長径（Ｗ）方向において互いにバランスさせることが容易である。
【００１４】
また、請求項３に記載の発明の製造方法では、
扁平チューブの連続体（１）が巻回されたボビン（５）から扁平チューブの連続体（１）を引き出す引き出し工程を備え、
引き出し工程では、ボビン（５）の軸方法に螺旋状に巻回されるとともにボビン（５）の径方向に多層に巻回された扁平チューブの連続体（１）を引き出し、
ガイド工程では、引き出し工程で引き出された扁平チューブの連続体（１）を複数の中高ローラ（１０、２０）でガイドすることを特徴としている。
【００１５】
引き出し工程で引き出す扁平チューブ連続体（１）が、ボビン（５）の軸方法に螺旋状に巻回されるとともにボビン（５）の径方向に多層に巻回されている場合には、巻回される層が移行する部位（２）において上層の扁平チューブ連続体（１）が下層の扁平チューブ連続体（１）に乗り上げるため、扁平チューブ連続体（１）に変形が発生し易い。
【００１６】
このような引き出し工程を行なう場合であっても、その後のガイド工程において本発明を適用することで、扁平チューブ連続体（１）が中高ロール（１０、２０）から脱線することを防止できる。
【００１７】
また、請求項４に記載の発明の製造方法では、加工機（７０）は、扁平チューブの連続体（１）を所定長さに切断する切断機（７０）であることを特徴としている。
【００１８】
これによると、切断機（７０）に安定して扁平チューブ連続体（１）を供給でき、切断精度を向上することが可能である。
【００１９】
また、請求項５に記載の発明の製造装置では、
回転軸（１１、２１）方向の端部の径（φ１）より中央部の径（φ２）の方が大きい複数の中高ローラ（１０、２０）を備え、
複数の中高ローラ（１０、２０）が、加工機（７０）に供給される被加工物である熱交換器用扁平チューブの連続体（１）をガイドする熱交換器の製造装置であって、
複数の中高ローラ（１０、２０）は、扁平チューブの連続体（１）の送り方向に離設されるとともに、回転軸（１１、２１）方向が水平方向（Ｌ）に対し傾斜するように配置されていることを特徴としている。
【００２０】
これによると、請求項１に記載の発明の製造方法を行なうことができる。
【００２１】
したがって、離設した複数の中高ロール（１０、２０）で主にガイドが行なわれる高面圧発生部位を、扁平チューブ連続体（１）の断面長径（Ｗ）方向において互いにバランスするように配設することが可能であり、扁平チューブ連続体１０１に断面長径方向（幅方向）における断面短径方向（厚さ方向）の寸法（厚さ）にばらつきがあったとしても、バランスが大きくくずれることはない。これにより、扁平チューブ連続体（１）が中高ロール（１０、２０）から脱線することを防止できる。
【００２２】
また、請求項６に記載の発明の製造装置では、複数の中高ローラ（１０、２０）のうち隣り合う２つの中高ローラ（１０、２０）は、回転軸（１１、２１）を水平方向（Ｌ）に対し同じ方向に傾斜されるとともに、回転軸（１１、２１）に対し互いの反対側（１３、２３）で扁平チューブの連続体（１）のガイドを行なうことを特徴としている。
【００２３】
これによると、請求項２に記載の発明の製造方法を行なうことができ、２つの中高ロール（１０、２０）でガイドが行なわれる高面圧発生部位を、扁平チューブ連続体（１）の断面長径（Ｗ）方向において互いにバランスさせることが容易である。
【００２４】
また、請求項７に記載の発明の製造装置では、
扁平チューブの連続体（１）が、軸方法に螺旋状に巻回されるとともに径方向に多層に巻回されたボビン（５）を備え、
複数の中高ローラ（１０、２０）は、前記ボビンから引き出された前記扁平チューブの連続体（１）をガイドすることを特徴としている。
【００２５】
これによると、請求項３に記載の発明の製造方法を行なうことができる。
【００２６】
したがって、ボビン（５）に螺旋状多層巻きされた乗り上げ部（２）において変形が発生し易い扁平チューブ連続体（１）であっても、中高ロール（１０、２０）から脱線することを防止できる。
【００２７】
また、請求項８に記載の発明の製造装置では、加工機（７０）は、扁平チューブの連続体（１）を所定長さに切断する切断機（７０）であることを特徴としている。
【００２８】
これによると、請求項４に記載の発明の製造方法を行なうことができる。
【００２９】
したがって、切断機（７０）に安定して扁平チューブ連続体（１）を供給でき、切断精度を向上することが可能である。
【００３０】
なお、上記各手段に付した括弧内の符号は、後述する実施形態記載の具体的手段との対応関係を示す一例である。
【発明を実施するための最良の形態】
【００３１】
以下、本発明の実施の形態を図に基づいて説明する。
【００３２】
図１は、本発明を適用した熱交換器の製造装置の一部の側面説明図であり、ボビン５に巻回された扁平チューブの連続体１を引き出して、切断機７０にて所定長さの扁平チューブ３に切断するまでの部分を図示している。
【００３３】
本実施形態における熱交換器の製造装置においては、図３に概略工程順序を示すように、熱交換器のコア部を形成する扁平チューブ連続体１を下流に供給する工程（ステップ１１０）、供給された扁平チューブ連続体１を所定長さに切断する工程（ステップ１２０）、切断した扁平チューブを放熱フィンやタンク部等を構成する部材とともに仮組みする工程（ステップ１３０）、仮組み体を脱脂する工程（ステップ１４０）、仮組み体を加熱して構成部材の表面に適宜形成しておいたろう材層により各構成部材間をろう付接合する工程（ステップ１５０）、およびろう付後の熱交換器の漏れ検査を行なう工程（ステップ１６０）を順次実行することにより熱交換器は製造される。
【００３４】
図１に示した側面図は、図３に示すチューブ連続体供給工程１１０および切断工程１２０に該当する部分を示すものである。
【００３５】
図１に示すように、ボビン５に巻回された扁平チューブ連続体１は、扁平チューブ連続体１を繰り出す方向に回転駆動するボビン５と、切断機７０の上流側に設けられた回転駆動する複数対の送りローラ６０とにより、切断機７０に供給されるようになっている。
【００３６】
ボビン５と送りローラ６０との間には、上流側から順に、第１ガイドローラ１０、第２ガイドローラ２０、支持ローラ３１、ダンサローラ３０、支持ローラ３２、矯正ユニット４０、および歪取りユニット５０が設けられている。
【００３７】
この工程を流れる扁平チューブ連続体１は、図２に断面形状を示すように、幅（長径方向長さ）Ｗが厚さ（短径方向長さ）Ｈに対して大きい多孔扁平チューブであり、本実施形態ではアルミニウム合金により形成されている。
【００３８】
図１に図示された扁平チューブ連続体１を搬送および切断加工する各構成は、ダンサロール３０を除き図示しないベース上に立設したスタンド等により支持されている。
【００３９】
ボビン５および第１、第２ガイドローラ１０、２０については、本実施形態の要部であるので、後で詳述する。
【００４０】
ダンサロール３０は、上方側で扁平チューブ連続体１を支持する回転自在な２つの支持ローラ３１、３２の間において、扁平チューブ連続体１上にフリーな状態で配置されており、自らの重量により、ボビン５と送りローラ６０との間の扁平チューブ連続体１に所定の張力を発生させるとともに、送り量のばらつきを吸収できるようになっている。
【００４１】
すなわち、ダンサロール３０および支持ローラ３１、３２からなる構成は、張力発生手段であるとともに、送り量調節手段である。
【００４２】
矯正ユニット４０は、複数対のローラにより構成されており、扁平チューブ連続体１の幅Ｗおよび厚さＨが所定寸法範囲となるように矯正する手段である。
【００４３】
また、歪取りユニット５０は、幅Ｗおよび厚さＨを矯正された後の扁平チューブ連続体１から、うねり等の歪みを除去するための手段である。
【００４４】
切断機７０は、一対の刃具からなり、扁平チューブ連続体１の送り量に同期して送り方向に回転し、連続体１を切断して所定長さの扁平チューブ３を得るようになっている。
【００４５】
本実施形態では、第１、第２ガイドローラ１０、２０を除くボビンや各ローラ等の回転体は、回転軸が水平方向となるように配置されており、扁平チューブ連続体１を幅Ｗ方向が略水平方向となる姿勢で搬送するようになっている。
【００４６】
次に、本実施形態の要部であるボビン５および第１、第２ガイドロール１０、２０について説明する。
【００４７】
図５に要部上面図を示すように、本実施形態のボビン５には、扁平チューブ連続体１が、ボビン５の回転軸方法にチューブ幅Ｗ方向端部が接するように螺旋状に巻回されるとともに、ボビン５の径方向に螺旋状巻回層が繰り返し重ねられている。すなわち、ボビン５には扁平チューブ連続体１が整列多層巻きされている。
【００４８】
図示を省略しているが、このボビン５は、軸方向に移動するトラバース機構を備えており、ボビン５から引き出される（繰り出される）扁平チューブ連続体１の引き出し位置（繰り出し位置）を略同一とするようになっている。
【００４９】
また、ボビン５の下流側において、金属製（本例ではステンレス製）の第１ガイドロール１０と第２ガイドロール２０とが、扁平チューブ連続体１の送り方向に離れて配置されている。第１、第２ガイドロール１０、２０は、いずれも回転軸１１、２１方向の端部の径φ１より中央部の径φ２の方が大きい中高ローラである（図４（ａ）参照）。
【００５０】
図４（ａ）に図１におけるＡ方向から見た第１、第２ガイドローラ１０、２０の矢視図を示すように、第１、第２ガイドローラ１０、２０は、ともに水平方向Ｌ（搬送される連続体１の幅Ｗ方向に略同一な方向、ガイドローラ非接触部分において張力印加により安定姿勢となったときの連続体１の幅Ｗ方向）に対し、回転軸１１、２１が同一方向に若干傾斜するように配置されている。本例では、回転軸１１、２１の傾斜角度は同一としている。
【００５１】
そして、ボビン５から引き出された扁平チューブ連続体１は、第１ガイドロール１０の下方側面（外周面のうち下方に位置する部分）１３によりガイドされた後、第２ガイドロール２０の上方側面（外周面のうち上方に位置する部分）２３によりガイドされるようになっている。すなわち、第１ガイドロール１０と第２ガイドロール２０とでは、回転軸に対して互いに反対側で扁平チューブ連続体１をガイドするようになっている。
【００５２】
ここで、ボビン５から扁平チューブ連続体１を引き出す工程が本実施形態における引き出し工程であり、引き出された扁平チューブ連続体１を第１、第２ガイドローラ１０、２０でガイドする工程が本実施形態におけるガイド工程である。
【００５３】
次に、上記構成に基づき本実施形態の製造装置の要部の作動について説明する。
【００５４】
図５に示すように、ボビン５から引き出された扁平チューブ連続体１は、第１ガイドロール１０にガイドされた後、第２ガイドロール２０にガイドされて連続的に搬送される。
【００５５】
図４（ａ）に示すように、第１ガイドロール１０および第２ガイドロール２０は、ともに水平方向に対し傾斜して配置されている。したがって、第１ガイドロール１０の最高点（最も下方に突出した部位、水平方向における下方側最大径点）１２は、回転軸１１方向中央より図示右方側にずれている。また、第２ガイドロール２０の最高点（最も上方に突出した部位、水平方向における上方側最大径点）２２は、回転軸２１方向中央より図示左方側にずれている。
【００５６】
そして、両ガイドロール１０、２０にガイドされる扁平チューブ連続体１には、張力が加わっているので、第１ガイドロール１０と扁平チューブ連続体１の押圧面における高面圧部位は中央部より図示右方側（最高点１２側）となる。また、第２ガイドロール２０と扁平チューブ連続体１の押圧面における高面圧部位は中央部より図示左方側（最高点２２側）となる。
【００５７】
したがって、第１ガイドロール１０と扁平チューブ連続体１の押圧面では、扁平チューブ連続体１は図示右方側に移動しようとし、第２ガイドロール２０と扁平チューブ連続体１の押圧面では、扁平チューブ連続体１は図示左方側に移動しようとする。
【００５８】
図５に示すように、扁平チューブ連続体１は、第１ガイドロール１０にガイドされるときには、図示下方側（進行方向右側）に引かれ、第２ガイドロール２０にガイドされるときには、図示上方側（進行方向左側）に引かれ、両ガイドロール１０、２０による引き合いのバランスにより、進行方向に対し安定した位置を維持する。
【００５９】
ここで、図４（ｂ）に示すように、扁平チューブ連続体１の厚さが幅Ｗ方向においてばらつき、進行方向左端部の厚さＨ１に対し右端部の厚さＨ２の方が厚い場合について説明する。
【００６０】
図４（ｂ）に示すように、第１ガイドロール１０にガイドされるときには、図示右方側に若干引かれ、第２ガイドロール２０にガイドされるときには、図示左方側に大きく引かれ、両ガイドロール１０、２０による引き合いのバランスがとれた回転軸１１、２１方向における中央部より若干左方側で引き合いがバランスする。
【００６１】
これに対し、扁平チューブ連続体１の厚さが幅Ｗ方向においてばらつき、進行方向左端部の厚さＨ１に対し右端部の厚さＨ２の方が薄い場合には、図４（ｃ）に示すように、第１ガイドロール１０にガイドされるときには、図示右方側に大きく引かれ、第２ガイドロール２０にガイドされるときには、図示左方側に若干引かれ、両ガイドロール１０、２０による引き合いのバランスがとれた回転軸１１、２１方向における中央部より若干右方側で引き合いがバランスする。
【００６２】
上述の構成および作動によれば、離設した２つの中高ガイドローラ１０、２０の回転軸１１、２１を同じ方向に傾斜するとともに、この２つの第１、第２ガイドローラ１０、２０における扁平チューブ連続体１のガイドを、回転軸１１、２１に対し互いに反対側１３、２３で行なっている。
【００６３】
これにより、第１、第２ガイドロール１０、２０で連続体１のガイドが行なわれる高面圧発生部位を、軸方向中央部より互いに軸方向反対側の最高点１２、２２側にずらして、扁平チューブ連続体１の幅（断面長径）Ｗ方向において互いに引き合いをバランスさせることができる。
【００６４】
従来技術では、扁平チューブ連続体１の幅Ｗ方向において厚さＨのばらつきがある場合には、両ガイドローラが連続体を同一方向に移動されるため脱線の可能性があった。ところが、本実施形態では、扁平チューブ連続体１の幅Ｗ方向において厚さＨにばらつきがある場合であっても、両ガイドローラ１０、２０により引かれる方向が逆であるため、バランス位置が若干ずれるものの、第１、第２ガイドローラ１０、２０の幅内で扁平チューブ連続体１を安定してガイドすることができる。
【００６５】
また、図５に示したように、扁平チューブ連続体１が、ボビン５に螺旋整列巻き、かつ多層巻きされている場合には、巻回される層が移行する部位において上層の扁平チューブ連続体１が下層の扁平チューブ連続体１に乗り上げる乗り上げ部２が形成されてしまう。この乗り上げ部２において扁平チューブ連続体１に変形が発生し易い。
【００６６】
ところが、本実施形態では、この乗り上げ部２が変形を有したまま引き出されてきても、安定してガイドすることができ、脱線に至ることはない。
【００６７】
また、このように、安定したガイドを行なうことで、切断機７０に安定して扁平チューブ連続体１を供給でき、切断精度を向上することができる。
【００６８】
なお、第１ガイドローラ１０と第２ガイドローラ２０とのオフセット量（離設量）は、扁平チューブ連続体１にガイドローラによる変形を発生し難い範囲において近い方が好ましく、両ガイドローラ１０、２０の回転軸１１、２１の傾斜角度は、各ガイドローラの中高量や連続体１の幅Ｗに対する厚さＨのばらつきに応じて適宜設定することが好ましい。
【００６９】
（他の実施形態）
上記一実施形態では、第１ガイドローラ１０と第２ガイドローラ２０とを同一方向に傾斜させ、回転軸１１、２１に対し互いに反対側で扁平チューブ連続体１をガイドしていたが、両ガイドローラによる回転軸方向における移動方向（引き合い方向）が逆になるように構成されるものであればよい。
【００７０】
したがって、例えば離設された隣り合う第１、第２ガイドローラの回転軸に対し同じ側で扁平チューブ連続体１をガイドする場合には、第１ガイドローラと第２ガイドローラの回転軸を逆方向に傾斜すればよい。
【００７１】
また、上記一実施形態では、中高ガイドローラは、第１、第２ガイドローラ１０、２０の２つであったが、３つ以上のガイドローラを備える場合であっても本発明は適用して有効である。
【００７２】
また、上記一実施形態では、扁平チューブ連続体１を加工する加工機は切断機７０であったが、これに限定されるものではない。例えば、扁平チューブ連続体１に表面処理を行なうものであってもよい。
【図面の簡単な説明】
【００７３】
【図１】本発明を適用した一実施形態における熱交換器の製造装置の一部の側面説明図である。
【図２】扁平チューブ連続体１の断面図である。
【図３】熱交換器の製造工程の概略順序を示すフローである。
【図４】（ａ）、（ｂ）、（ｃ）は、図１におけるガイドローラのＡ矢視図である。
【図５】熱交換器の製造装置の要部上面図である。
【図６】従来の熱交換器の製造装置の一部の側面説明図である。
【図７】（ａ）、（ｂ）は、図６におけるガイドローラのＢ矢視図である。
【符号の説明】
【００７４】
１  扁平チューブ連続体
５  ボビン
１０  第１ガイドローラ（中高ローラ）
１１  回転軸（第１ガイドローラの回転軸）
１３  下方側面
２０  第２ガイドローラ（中高ローラ）
２１  回転軸（第２ガイドローラの回転軸）
２３  上方側面
７０  切断機（加工機）
Ｈ、Ｈ１、Ｈ２  厚さ（扁平チューブ連続体の厚さ、断面短径）
Ｌ  水平方向
Ｗ  幅（扁平チューブ連続体の幅、断面長径）
φ１  ガイドローラ端部の径
φ２  ガイドローラ中央部の径
【図１】
2006247773.tif 000003
【図２】
2006247773.tif 000004
【図３】
2006247773.tif 000005
【図４】
2006247773.tif 000006
【図５】
2006247773.tif 000007
【図６】
2006247773.tif 000008
【図７】
2006247773.tif 000009